(57)【要約】      （修正有）【課題】蝶番等の継手部を介して開閉することが出来る開きドアであって、該開きドアが開いた際に縦桟の内面との間に形成される隙間を塞ぐ隙間塞ぎ部材を提供する。【解決手段】塞ぎ部材はジャバラ１で構成し、該ジャバラ１は複数枚のジャバラ片２ａ〜２ｇを繋ぎ部３を介して屈曲可能に連結して伸縮可能とし、先端側のジャバラ片２ａは縦桟６の表面１０に止着され、他端側のジャバラ片２ｇは開きドア表面１１に止着されている。開きドア４が閉じた際にはジャバラ１は収縮して各ジャバラ片２ａ〜２ｇは開きドア表面１１と平行を成して重なり折畳まれる。【選択図】図２
0003234016.tif 000002
【実用新案登録請求の範囲】
【請求項１】
蝶番等の継手部を介して開閉することが出来る開きドアであって、該開きドアが開いた際に縦桟の内面との間に形成される隙間を塞ぐ部材において、塞ぎ部材はジャバラで構成し、該ジャバラは複数枚のジャバラ片を繋ぎ部を介して屈曲可能に連結して伸縮可能とし、先端側のジャバラ片は縦桟の表面に止着され、他端側のジャバラ片は開きドア表面に止着され、開きドアが閉じた際にはジャバラは収縮して上記各ジャバラ片は開きドア表面と平行を成して重なり折畳まれることを特徴とする開きドアの隙間塞ぎ部材。
【請求項２】
先端側のジャバラ片の幅寸法は縦桟表面から内側へ他のジャバラ片の幅寸法以上に延ばした請求項１記載の開きドアの隙間塞ぎ部材。
【請求項３】
蝶番等の継手部を介して開閉することが出来る開きドアであって、該開きドアが開いた際に縦桟の内面との間に形成される隙間を塞ぎ為にジャバラを取付けた開きドア装置において、該ジャバラは複数枚のジャバラ片を繋ぎ部を介して屈曲可能に連結して伸縮可能とし、先端側のジャバラ片は縦桟の表面に止着され、他端側のジャバラ片は開きドア表面に止着され、開きドアが閉じた際には上記各ジャバラ片は開きドア表面と平行を成して重なり合って折畳まれることを特徴とするジャバラを取付けた開きドア装置。
【考案の詳細な説明】
【技術分野】
【０００１】
本考案は蝶番等の継手部を介して開閉するドアが開いた際に形成される隙間を塞ぐ部材、及び塞ぎ部材を取付けた開きドア装置に関するものである。
【背景技術】
【０００２】
出入口に装着されるドアとして、蝶番等の継手部を介して開閉することが出来る開きドアが知られている。
該開きドアは出入口に嵌めた枠体の縦桟に蝶番を介して取付けられるが、蝶番を構成する一方の蝶片は縦桟側に固定され、他方の蝶片はドア側に固定される。
図４は蝶番（ロ）を介して開きドア（イ）を縦桟（ハ）に取付けた場合を表していて、（ａ）は開きドア（イ）が開いている場合を、（ｂ）は開きドア（イ）が閉じている場合をそれぞれ示している。
【０００３】
蝶番（ロ）は蝶片（ニ）と蝶片（ホ）が軸（ヘ）から延びて揺動可能に軸支され、一方の蝶片（ニ）は縦桟（ハ）に固定され、他方の蝶片（ホ）は開きドア（イ）の側面（ト）に取着されている。したがって、該開きドア（イ）は蝶番（ロ）を介して縦桟（ハ）に取付けられ、開閉することが出来る。
ところで、同図に示すように、開きドア（イ）が開いた際に、縦桟（ハ）との間に隙間（チ）が形成される。その為に、この隙間（チ）に指が挿入し、その状態で開きドア（イ）を閉じることがあり、指は縦桟（ハ）と開きドア（イ）の間に挟まって大ケガをする。特に、子供や幼児は無意識のうちに指を挟めてしまう虞がある。
【０００４】
従来、開きドア（イ）の隙間（チ）に手指が挟まってケガしないようにした技術は色々知られている。しかし、構造が複雑であったり、また、汎用性がなく、さらには塞ぎ部材を取付けた場合の開きドア（イ）の外観が損なわれるなどの問題がある。
【考案の開示】
【考案が解決しようとする課題】
【０００５】
このように、開きドアが開いた際に形成される隙間に手指が挟まらないようにした技術は知られている。この隙間を塞ぐ為にジャバラを取付けて構成した開きドア装置も知られている。
しかし、ジャバラを取付けた開きドア装置は、閉じた際にジャバラが外側にはみ出して開きドア装置の外観が損なわれる。
本考案が解決しようとする課題はこの問題点であり、開きドアが閉じた際に、外側にはみ出すことなく奇麗に折畳まれるようにし、開きドアを開いた際に形成される隙間に手指が挟まらないようにした塞ぎ部材及び開きドア装置を提供する。
【課題を解決するための手段】
【０００６】
本考案に係る隙間塞ぎ部材は、伸縮することが出来るジャバラを用い、一方側端を枠体の縦桟に止着し、他方側端を開きドアに止着している。開きドアが閉じた際には該ジャバラは折畳まれ、開きドアが開いた際には伸びて縦桟と開きドアとの間に形成される隙間は塞がれる。
ここで、ジャバラの取付け方に関しては、本考案は限定せず、ネジ止、接着剤止め、又は両面テープにて止着することも可能である。
【０００７】
そして、開きドアが開いた際に形成される隙間を塞ぐことが出来るジャバラの高さは、開きドアの下端から上端にかけての領域でよいが、一般的には手指が挟まる可能性のある範囲でよい。
ジャバラは一定幅を有すジャバラ片が複数枚繋がれ、開きドアが閉じる場合には、各ジャバラ片は開きドア表面に重なり合って折畳まれる。すなわち、ランダム状態となってはみ出すことがないように成っている。
【考案の効果】
【０００８】
本考案に係る隙間塞ぎ部材は伸縮するジャバラで構成され、該ジャバラの一方側ジャバラ片が縦桟側に止着され、他方側のジャバラ片は開きドア側に止着されている。
したがって、開きドアが蝶番を介して旋回して開くならば、縦桟と開きドア側面との間に隙間が形成されるが、この隙間を塞ぐことが出来る。すなわち、折畳まれているジャバラは、開きドアが開くと同時に伸長し、形成される隙間は塞がれる。
【０００９】
そして、開きドアが閉じるならばジャバラは折畳まれるが、複数枚のジャバラ片は開きドアの表面に重なり合って折畳まれ、外側へはみ出すことなくコンパクトにまとまる。
その為に、該ジャバラによって開きドアの外観が損なわれることはなく、開きドアの開閉動作に伴うジャバラの伸縮動作は常に一定し、ジャバラの寿命も長く保たれる。
【図面の簡単な説明】
【００１０】
【図１】本考案に係る隙間塞ぎ部材を構成するジャバラ。
【図２】ジャバラを取付けた開きドア装置を示す断面図であり、（ａ）は開きドアが開いている場合、（ｂ）は開きドアが閉じている場合。
【図３】ジャバラを取付けた開きドア装置を示す斜視図であり、（ａ）は開きドアが開いている場合、（ｂ）は開きドアが閉じている場合。
【図４】隙間塞ぎ部材を備えていない開きドア装置を示す断面図であり、（ａ）は開きドアが開いている場合、（ｂ）は開きドアが閉じている場合。
【考案を実施するための形態】
【００１１】
図１は開きドアの隙間塞ぎ部材を構成するジャバラ１を表す実施例であり、該ジャバラ１は縦方向に延びる複数枚のジャバラ片２ａ，２ｂ・・・を有している。そして、ジャバラ片２ｂ，２ｃ・・・は一定幅を有し、各ジャバラ片２ａ，２ｂ，２ｃ・・・は繋ぎ部３，３・・・を介して連結し、また、繋ぎ部３，３・・・を介して屈曲することで折畳まれ、逆に繋ぎ部３，３・・・を介して伸長することが出来る。
すなわち、ジャバラ１は伸縮可能であって、開きドアの開閉動作に伴って伸長し、また、折畳まれる。
【００１２】
図２は上記ジャバラ１を取付けた開きドア装置を示す具体例である。開きドア４は蝶番５を介して出入口に嵌っている枠体の縦桟６に取付けられ、該蝶番５を介して開閉することが出来る。上記蝶番５は軸を中心として旋回する２枚の蝶片を有し、一方、側蝶片７は縦桟６の内面に固定され、他方側蝶片８は開きドア４の側面に固定されている。そのために、開きドア４は蝶番５の軸を中心として旋回し、開閉することが出来る。
【００１３】
図２（ａ）は開きドア４が開いた状態を示しているが、開きドア４が開いた場合に形成される隙間９に上記図１に示したジャバラ１が取付けられて該隙間９を塞いでいる。したがって、該隙間９に手指が挟まることはない。
ジャバラ１の先端側のジャバラ片２ａは、上記縦桟６の表面１０に止着され、他方側ジャバラ片２ｇは開きドア４の表面１１に止着されている。
先端側ジャバラ片２ａと他方側ジャバラ片２ｇとの間は、他のジャバラ片２ｂ，２ｃ・・・によって繋がれていて、上記隙間９は塞がれている。
【００１４】
この場合、ジャバラ片２ａとジャバラ片２ｇとの間に設けられるジャバラ片２ｂ，２ｃ・・・は真っ直ぐ伸び切っておらず、繋ぎ部３，３・・・を介して僅かに屈曲した状態と成っている。
そして、上記先端側ジャバラ片２ａの幅寸法は大きく、縦桟６の表面１０に止着されると共に、縦桟表面１０から内側へ、少なくとも他のジャバラ片２ｂ，２ｃ・・・の幅以上に延びている。
【００１５】
図２（ｂ）は、開きドア４が閉じた場合を示している。開きドア４が閉じるならば伸長している上記ジャバラ１は折畳まれる。この場合、ジャバラ１の各ジャバラ片２ｂ、２ｃ・・・は、先端のジャバラ片２ａと開きドア表面１１との間に形成される空間１２に正しく折畳まれて収容され、外側にランダム状態と成ってはみ出すことはない。
ここで、先端側ジャバラ片２ａは、縦桟６の表面１０に両面テープを介して止着され、同じく他端側ジャバラ片２ｇは開きドア４の表面１１に両面テープを介して止着されている。
【００１６】
図３は開きドア４にジャバラ１を取付けた開きドア装置を示す具体例を表している。
図３（ａ）は開きドア４が開いた状態を表し、図３（ｂ）は開きドア４が閉じた状態を表している。開きドア４が開くならば、上記ジャバラ１は伸長し、縦桟６との間に形成される隙間９は塞がれて手指が挟まることはない。
そして、開きドア４が閉じるならば、伸長したジャバラ１は正しく折畳まれて外側へランダム状態ではみ出すことはない。
【符号の説明】
【００１７】
１   ジャバラ
２   ジャバラ片
３   繋ぎ部
４   開きドア
５   蝶番
６   縦桟
７   蝶片
８   蝶片
９   隙間
10   表面
11   表面
12   空間
【図１】
0003234016.tif 000003
【図２】
0003234016.tif 000004
【図３】
0003234016.tif 000005
【図４】
0003234016.tif 000006